【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
プログラミング学習用電子機器であって、
絶縁性を有する基台と、
前記基台に設けられて、学習用電気回路の一部を構成する部分電気回路と、
前記基台における前記部分電気回路の回路端にそれぞれ設けられていて前記学習用電気回路の他部との接続に利用される複数の接続部と、
前記部分電気回路の開閉を切り替えるスイッチと、
プログラミングされたプログラムの実行処理に基づく指示に対応して前記スイッチの開閉を切り替えるスイッチ制御部と、
前記スイッチ制御部が前記スイッチの開閉を切り替えるための制御用電気回路と、
前記学習用電気回路に含まれる蓄電器と、
を備えるプログラミング学習用電子機器。
【請求項２】
前記蓄電器は、前記基台に設けられている
請求項１に記載のプログラミング学習用電子機器。
【請求項３】
前記学習用電気回路は、メーター部品をさらに備えている
請求項１に記載のプログラミング学習用電子機器。
【請求項４】
前記スイッチは、前記部分電気回路の開閉を電気的に行う
請求項１〜３のいずれか一項に記載のプログラミング学習用電子機器。
【請求項５】
前記スイッチ制御部は、有線通信又は無線通信を介して前記プログラムの実行処理に基づく指示が入力される
請求項１〜４のいずれか一項に記載のプログラミング学習用電子機器。
【請求項６】
前記スイッチ制御部はさらに、前記プログラムの実行処理を行う処理装置を備え、前記プログラミングされたプログラムの実行処理を行う
請求項１〜５のいずれか一項に記載のプログラミング学習用電子機器。
【請求項７】
プログラミング学習用キットであって、
プログラミング学習用電子機器と、
前記プログラミング学習用電子機器と有線通信又は無線通信を介して通信可能なプログラミング装置と、を備え、
前記プログラミング学習用電子機器は、
絶縁性を有する基台と、
前記基台に設けられて、学習用電気回路の一部を構成する部分電気回路と、
前記基台における前記部分電気回路の回路端にそれぞれ設けられていて前記学習用電気回路の他部との接続に利用される複数の接続部と、
前記部分電気回路の開閉を切り替えるスイッチと、
前記プログラミング装置でプログラミングされたプログラムの実行処理に基づく指示に対応して前記スイッチの開閉を切り替えるスイッチ制御部と、
前記スイッチ制御部が前記スイッチの開閉を切り替えるための制御用電気回路と、
前記学習用電気回路に含まれる蓄電器と、
を備えるプログラミング学習用キット。
【請求項８】
前記学習用電気回路は、前記学習用電気回路用の電源と、電気の有無で状態が変化する電気機器と、前記プログラミング学習用電子機器の部分電気回路とが直列接続されてなる
請求項７に記載のプログラミング学習用キット。
【請求項９】
プログラミング学習用電子機器であって、
絶縁性を有する基台と、
前記基台に設けられて、学習用電気回路の一部を構成する部分電気回路と、
前記基台における前記部分電気回路の回路端にそれぞれ設けられていて前記学習用電気回路の他部との接続に利用される複数の接続部と、
電気の有無で状態が変化する電気部品と、
プログラミングされたプログラムの実行処理に基づく指示に対応して前記電気部品を制御する部品制御部と、
前記部品制御部が前記電気部品を制御するための制御用電気回路とを備え、
前記基台の表面には、前記電気部品が組み込まれていることを、学習者が視認できる前記電気部品の表記によって示している
プログラミング学習用電子機器。
【請求項１０】
前記電気部品は、スイッチである
請求項９に記載のプログラミング学習用電子機器。
【請求項１１】
前記電気部品は、蓄電器である
請求項９に記載のプログラミング学習用電子機器。
【請求項１２】
前記電気部品は、蓄電器とメーター部品である
請求項９に記載のプログラミング学習用電子機器。
【手続補正２】
【補正対象書類名】明細書
【補正対象項目名】０００６
【補正方法】変更
【補正の内容】
【０００６】
上記課題を解決するプログラミング学習用電子機器は、プログラミング学習用電子機器であって、絶縁性を有する基台と、前記基台に設けられて、学習用電気回路の一部を構成する部分電気回路と、前記基台における前記部分電気回路の回路端にそれぞれ設けられて
いて前記学習用電気回路の他部との接続に利用される複数の接続部と、前記部分電気回路の開閉を切り替えるスイッチと、プログラミングされたプログラムの実行処理に基づく指示に対応して前記スイッチの開閉を切り替えるスイッチ制御部と、前記スイッチ制御部が前記スイッチの開閉を切り替えるための制御用電気回路と、前記学習用電気回路に含まれる蓄電器と、を備えている。
好ましい構成として、前記蓄電器は、前記基台に設けられている。また、前記学習用電気回路は、メーター部品をさらに備えている。さらに、前記スイッチは、前記部分電気回路の開閉を電気的に行うものである。
【手続補正３】
【補正対象書類名】明細書
【補正対象項目名】０００８
【補正方法】変更
【補正の内容】
【０００８】
具体的には、部分電気回路の学習用電気回路の他部との連続性を維持し、接続部やスイッチや蓄電器やメーター部品が学習用電気回路に組み込まれているとの理解が容易になる。また、一般に操作の必要性が理解されているスイッチは、これを駆動操作する回路図が描かれていないことにより、その操作がプログラムから行われるということを説明することで、実体験できるようになっている。つまり、プログラムの実行処理に基づく指示でスイッチが開閉されて実験用電気回路に電気が流れたり、止まったりすることを実体験させることができる。
【手続補正４】
【補正対象書類名】明細書
【補正対象項目名】００１８
【補正方法】変更
【補正の内容】
【００１８】
上記課題を解決するプログラミング学習用キットは、プログラミング学習用電子機器と、前記プログラミング学習用電子機器と有線通信又は無線通信を介して通信可能なプログラミング装置と、を備え、前記プログラミング学習用電子機器は、絶縁性を有する基台と、前記基台に設けられて、学習用電気回路の一部を構成する部分電気回路と、前記基台における前記部分電気回路の回路端にそれぞれ設けられていて前記学習用電気回路の他部との接続に利用される複数の接続部と、前記部分電気回路の開閉を切り替えるスイッチと、前記プログラミング装置でプログラミングされたプログラムの実行処理に基づく指示に対応して前記スイッチの開閉を切り替えるスイッチ制御部と、前記スイッチ制御部が前記スイッチの開閉を切り替えるための制御用電気回路と、前記学習用電気回路に含まれる蓄電器と、を備えている。
【手続補正５】
【補正対象書類名】明細書
【補正対象項目名】００２１
【補正方法】変更
【補正の内容】
【００２１】
このような構成によれば、電気回路の学習に用いられる電気部品を利用してプログラミング学習用機器によるプログラミング学習が可能になる。
上記課題を解決するプログラミング学習用電子機器は、プログラミング学習用電子機器であって、絶縁性を有する基台と、前記基台に設けられて、学習用電気回路の一部を構成する部分電気回路と、前記基台における前記部分電気回路の回路端にそれぞれ設けられていて前記学習用電気回路の他部との接続に利用される複数の接続部と、電気の有無で状態が変化する電気部品と、プログラミングされたプログラムの実行処理に基づく指示に対応
して前記電気部品を制御する部品制御部と、前記部品制御部が前記電気部品を制御するための制御用電気回路とを備え、前記基台の表面には、前記電気部品が組み込まれていることを、学習者が視認できる前記電子部品の表記によって示している。
好ましい構成として、前記電気部品は、スイッチである。また、前記電気部品は、蓄電器である。また、前記電気部品は、蓄電器とメーター部品である。